(57)【要約】【課題】  爆縮プラズマからの散乱中性子の測定などの中性子測定を好適に行うことが可能な中性子検出用シンチレータ、及び中性子測定装置を提供する。【解決手段】  中性子検出部１０と、中性子検出部１０から発せられるシンチレーション光を検出する光検出部２０と、中性子検出部１０からのシンチレーション光を光検出部２０へと導光する導光光学系１５と、中性子検出部１０と光検出部２０との間に位置し、光検出部２０へと向かう放射線を遮蔽する遮蔽部材３０とによって、中性子測定装置１Ａを構成する。また、中性子検出部１０を構成する中性子検出用シンチレータとして、ガラス材料２０Ａｌ（ＰＯ３）３−８０ＬｉＦに対してＰｒＦ３が添加されたリチウムガラス材料からなるシンチレータを用いる。【選択図】  図３
2010261753.tif 000002
【特許請求の範囲】
【請求項１】
中性子の入射に応じてシンチレーション光を発するシンチレータであって、ガラス材料２０Ａｌ（ＰＯ３）３−８０ＬｉＦに対して、所定の添加量でＰｒＦ３が添加されたリチウムガラス材料からなることを特徴とする中性子検出用シンチレータ。
【請求項２】
前記ガラス材料２０Ａｌ（ＰＯ３）３−８０ＬｉＦに対するＰｒＦ３の添加量が、モル％で１％以上３％以下であることを特徴とする請求項１記載の中性子検出用シンチレータ。
【請求項３】
請求項１または２記載の中性子検出用シンチレータを含む中性子検出部と、
測定対象の中性子の入射に応じて前記中性子検出部から発せられるシンチレーション光を検出する光検出部と、
前記中性子検出部からの前記シンチレーション光を前記光検出部へと導光する導光光学系と
を備えることを特徴とする中性子測定装置。
【請求項４】
前記中性子検出部は、前記中性子検出用シンチレータによる複数のシンチレータセルが２次元に配列されたシンチレータアレイを有し、
前記光検出部は、前記シンチレータアレイから発せられるシンチレーション光による２次元光像を検出可能に構成された２次元光検出器を有することを特徴とする請求項３記載の中性子測定装置。
【請求項５】
前記光検出部は、前記２次元光検出器の前段に配置され、前記シンチレータアレイから前記２次元光検出器へと入射する２次元光像を増強するイメージインテンシファイアを有することを特徴とする請求項４記載の中性子測定装置。
【請求項６】
前記イメージインテンシファイアは、前記２次元光像の検出期間を制限するゲート機能を有することを特徴とする請求項５記載の中性子測定装置。
【請求項７】
前記中性子検出部と前記光検出部との間に位置し、前記光検出部へと向かう放射線を遮蔽する遮蔽手段を備えることを特徴とする請求項３〜６のいずれか一項記載の中性子測定装置。
【発明の詳細な説明】
【技術分野】
【０００１】
本発明は、中性子の検出に用いられるシンチレータ、及びそれを用いた中性子測定装置に関するものである。
【背景技術】
【０００２】
レーザ核融合において、その核融合現象の重要指標である核融合燃焼率は、爆縮プラズマでの燃料面密度ρＲ（プラズマ密度×プラズマ半径、ｇ／ｃｍ２）に強く依存することが知られている。このため、核融合現象の監視、制御において、燃料面密度ρＲの測定、評価が重要となっている（例えば、非特許文献１参照）。
【０００３】
レーザ核融合の実現において高燃料面密度の達成は最も重要な開発課題の１つであり、例えば、点火燃焼を想定した爆縮プラズマでは、ρＲ＞３ｇ／ｃｍ２程度の燃料面密度が必要とされている。
【先行技術文献】
【非特許文献】
【０００４】
【非特許文献１】疇地宏、「レーザー核融合の概念」、プラズマ・核融合学会誌  第８１巻増刊  ｐｐ．２〜１０（２００５）
【非特許文献２】E. J. Fairley and A. R. Spowart, "Neutron Scintillating GlassesPart III Pulse Decay Time Measurements at Room Temperature", Nucl. Instr.and Meth., Vol.150, pp.159-163 (1978)
【発明の概要】
【発明が解決しようとする課題】
【０００５】
上記した爆縮プラズマでの燃料面密度ρＲを測定する方法として、従来、反跳重水素を測定するノックオン法、ＤＴ中性子を測定する２次反応法などが開発されている。しかしながら、これらの方法では、例えば、ノックオン法では測定可能なρＲ値の上限が１５０ｍｇ／ｃｍ２程度、２次反応法では上限が３０ｍｇ／ｃｍ２程度であり、それよりも高い燃料面密度の測定に適用することができない。
【０００６】
これに対して、燃料面密度ρＲの測定方法として、散乱中性子を用いた測定方法が提案されている。この方法では、爆縮プラズマの中心で生成される１次中性子ｎ０が核融合燃料中の重水素イオンＤと弾性衝突して放出される散乱中性子ｎＳの生成率によって燃料面密度を測定する。しかしながら、このような方法では、１次中性子に比べて数量が圧倒的に少なく、また、エネルギーも低く、中性子検出器に対して１次中性子やＸ線よりも遅れて到着する散乱中性子を分離して測定することが難しいという問題がある。
【０００７】
本発明は、以上の問題点を解決するためになされたものであり、爆縮プラズマからの散乱中性子の測定などの中性子測定を好適に行うことが可能な中性子検出用シンチレータ、及び中性子測定装置を提供することを目的とする。
【課題を解決するための手段】
【０００８】
このような目的を達成するために、本発明による中性子検出用シンチレータは、中性子の入射に応じてシンチレーション光を発するシンチレータであって、ガラス材料２０Ａｌ（ＰＯ３）３−８０ＬｉＦに対して、所定の添加量でＰｒＦ３が添加されたリチウムガラス材料からなることを特徴とする。
【０００９】
上記した中性子検出用シンチレータでは、中性子の検出に用いられるシンチレータとして、Ｐｒ添加リチウム含有ガラスを用いている。６Ｌｉによる中性子捕獲反応を利用して中性子を検出するリチウムガラスシンチレータでは、爆縮プラズマからの中性子の測定に用いる場合に、１次中性子ｎ０よりも低エネルギーの散乱中性子ｎＳに対し、６Ｌｉでの反応断面積の共鳴ピークが後方散乱中性子のエネルギーとほぼ一致する。したがって、爆縮プラズマからの中性子のうちで、燃料面密度ρＲに対応する散乱中性子を選択的に高効率で検出することができる。
【００１０】
さらに、このシンチレータを構成するＰｒ添加リチウム含有ガラス材料について、具体的に、ＰｒＦ３の添加量をモル％でｎ％（ｎ＞０）として、下記式
２０Ａｌ（ＰＯ３）３−８０ＬｉＦ−ｎＰｒＦ３
で表されるリチウムガラス材料を用いている。この新たに開発したシンチレータは、従来の中性子検出用シンチレータ（例えば、非特許文献２参照）に比べて高速応答性を有している。したがって、このようなシンチレータを中性子検出に用いることにより、散乱中性子を１次中性子やＸ線から分離して測定することが可能となる。また、このような高速応答性は、上記のように爆縮プラズマからの散乱中性子の測定に用いる場合に限らず、中性子測定において一般に有効である。
【００１１】
上記のシンチレータにおいて、そのガラス組成でのＰｒＦ３の添加量については、ガラス材料２０Ａｌ（ＰＯ３）３−８０ＬｉＦに対するＰｒＦ３の添加量が、モル％で１％以上３％以下（１％≦ｎ％≦３％）であることが好ましい。これにより、上記した高速応答性を有する中性子検出用シンチレータを好適に実現することができる。
【００１２】
本発明による中性子測定装置は、（１）上記した中性子検出用シンチレータを含む中性子検出部と、（２）測定対象の中性子の入射に応じて中性子検出部から発せられるシンチレーション光を検出する光検出部と、（３）中性子検出部からのシンチレーション光を光検出部へと導光する導光光学系とを備えることを特徴とする。
【００１３】
上記した測定装置では、測定対象の中性子を検出する中性子検出部でのシンチレータとして、組成式２０Ａｌ（ＰＯ３）３−８０ＬｉＦ−ｎＰｒＦ３のリチウムガラス材料からなるシンチレータを用いている。このような構成では、爆縮プラズマからの中性子の測定に用いる場合に、爆縮プラズマからの中性子のうちで、散乱中性子を選択的に高効率で検出することができる。また、シンチレータの高速応答性により、散乱中性子を１次中性子やＸ線から分離して測定することが可能となる。これにより、爆縮プラズマからの散乱中性子の測定などの中性子測定を好適に行うことが可能な中性子測定装置が実現される。
【００１４】
また、測定装置は、中性子検出部と光検出部との間に位置し、光検出部へと向かう放射線を遮蔽する遮蔽手段を備えることが好ましい。これにより、爆縮プラズマからのＸ線、中性子等の余分な放射線が光検出部に入射することによるノイズ成分の発生を抑制して、中性子測定を精度良く行うことができる。
【００１５】
上記の中性子測定装置において、中性子検出部は、中性子検出用シンチレータによる複数のシンチレータセルが２次元に配列されたシンチレータアレイを有し、光検出部は、シンチレータアレイから発せられるシンチレーション光による２次元光像を検出可能に構成された２次元光検出器を有することが好ましい。このように、中性子検出部を、複数のシンチレータセル（複数の検出チャンネル）が２次元配列された構成とすることにより、１チャンネル当たりのシンチレータセルでの１次中性子の検出数を低減して、散乱中性子の検出を容易化することができる。
【００１６】
また、光検出部は、２次元光検出器に加えて、２次元光検出器の前段に配置され、シンチレータアレイから２次元光検出器へと入射する２次元光像を増強するイメージインテンシファイアを有することが好ましい。このような構成では、中性子検出部における中性子の検出パターンに対応するシンチレーション光の２次元光像を増強して、２次元光検出器による光像の検出精度を向上することができる。
【００１７】
また、このように光検出部にイメージインテンシファイアを用いる場合、イメージインテンシファイアは、２次元光像の検出期間を制限するゲート機能を有することが特に好ましい。このようなイメージインテンシファイアのゲート機能を利用することにより、１次中性子やＸ線に対する散乱中性子の選択的な検出を好適に実行することができる。
【発明の効果】
【００１８】
本発明の中性子検出用シンチレータ及び中性子測定装置によれば、中性子の検出に用いられるシンチレータとして、組成式２０Ａｌ（ＰＯ３）３−８０ＬｉＦ−ｎＰｒＦ３で表されるＰｒ添加リチウム含有ガラス材料を用いることにより、爆縮プラズマからの中性子のうちで、散乱中性子を選択的に高効率で検出するとともに、その高速応答性により、散乱中性子を１次中性子やＸ線から分離して測定することが可能となる。
【図面の簡単な説明】
【００１９】
【図１】爆縮プラズマでの燃料面密度ρＲについて示す図である。
【図２】爆縮プラズマから放出される１次中性子ｎ０、及び散乱中性子ｎＳのエネルギースペクトルについて示すグラフである。
【図３】中性子測定装置の一実施形態の構成を概略的に示す図である。
【図４】爆縮プラズマからのＸ線、１次中性子ｎ０、及び散乱中性子ｎＳをシンチレータで検出して得られる時間波形を模式的に示すグラフである。
【図５】中性子検出部におけるシンチレータセルの複数チャンネル化について示す模式図である。
【図６】ガラス材料における光の透過率の波長依存性を示すグラフである。
【図７】Ｘ線検出によって得られる検出信号の時間波形を示すグラフである。
【図８】ＵＶ光検出及びα線検出によって得られる検出信号の時間波形を示すグラフである。
【図９】中性子検出によって得られる検出信号の時間波形を示すグラフである。
【図１０】中性子測定装置の具体的な構成の一例を示す図である。
【図１１】中性子測定装置の具体的な構成の他の例を示す図である。
【発明を実施するための形態】
【００２０】
以下、図面とともに本発明による中性子検出用シンチレータ及び中性子測定装置の好適な実施形態について詳細に説明する。なお、図面の説明においては同一要素には同一符号を付し、重複する説明を省略する。また、図面の寸法比率は、説明のものと必ずしも一致していない。
【００２１】
最初に、レーザ核融合における爆縮プラズマでの燃料面密度ρＲ、及び爆縮プラズマから放出される散乱中性子ｎＳについて説明する。ここで、図１は、爆縮プラズマでの燃料面密度ρＲについて示す図である。また、図１（ｂ）に示すように、燃料面密度ρＲ（ｇ／ｃｍ２）において、ρは爆縮プラズマの密度、Ｒは爆縮プラズマの半径である。また、以下においては、爆縮プラズマから放出される中性子ｎについて、１次中性子をｎ０と表記し、また、散乱中性子をｎＳと表記する。
【００２２】
図１（ａ）は、燃焼温度２０ｋｅＶを仮定したときの核融合燃焼率と燃料面密度ρＲとの関係を示すグラフである。このグラフに示すように、レーザ核融合における燃焼率は、爆縮プラズマの燃料面密度ρＲに強く依存する。このため、核融合現象の監視、制御において、ρＲ値の評価が重要となっている。
【００２３】
このような爆縮プラズマでの燃料面密度ρＲの評価方法として、散乱中性子ｎＳの測定が検討されている。この散乱中性子ｎＳは、図１（ｂ）に示すように、爆縮プラズマの中心で生成される１次中性子ｎ０が燃料中の重水素イオンＤと弾性衝突する散乱
ｎ０＋Ｄ→ｎＳ＋Ｄ
によって放出される中性子である。また、爆縮プラズマ中における１次中性子ｎ０の重水素イオンＤとの衝突確率、及びそれによる散乱中性子ｎＳの発生確率は、ρＲ値に比例する。したがって、爆縮プラズマから放出される散乱中性子を測定することによって、その燃料面密度ρＲを評価することができる。
【００２４】
図２は、爆縮プラズマから放出される１次中性子ｎ０、及び散乱中性子ｎＳのエネルギースペクトルについて示すグラフである。このグラフにおいて、横軸は中性子エネルギー（ＭｅＶ）を示し、縦軸は規格化された中性子スペクトル（ｄＮ／ｄＥ×１０ｋｅＶ、グラフＡ１〜Ａ４）、または反応断面積（ｂａｒｎ、グラフＡ５）を示している。
【００２５】
また、グラフＡ１は燃料面密度がρＲ＝１ｇ／ｃｍ２の場合に爆縮プラズマから放出される中性子スペクトルを示し、グラフＡ２はρＲ＝０．５ｇ／ｃｍ２の場合の中性子スペクトルを示し、グラフＡ３はρＲ＝０．２ｇ／ｃｍ２の場合の中性子スペクトルを示し、グラフＡ４はρＲ＝０．１ｇ／ｃｍ２の場合の中性子スペクトルを示している。これらのグラフＡ１〜Ａ４から明らかなように、中性子の散乱強度は、燃料面密度ρＲ値に比例して変化している。また、散乱中性子ｎＳの放出強度は、１次中性子ｎ０の放出強度と比べると非常に小さくなっている。
【００２６】
上記の核融合現象において、爆縮プラズマ中で生成される１次中性子ｎ０のエネルギーは、Ｅ０＝２．４５ＭｅＶである。一方、重水素イオンＤとの弾性散乱によって生成される散乱中性子ｎＳのエネルギーは、その散乱角度θ（図１（ｂ）参照）に依存して変化するが、最も低エネルギーとなる後方散乱の場合でＥＳ＝０．２７２ＭｅＶである。また、図２に示す中性子スペクトルによれば、散乱中性子の強度は、低エネルギーの後方散乱においてその強度が大きくなっている。
【００２７】
このような爆縮プラズマからの散乱中性子に対し、中性子の検出においてリチウムガラスシンチレータを好適に用いることができる。リチウム含有ガラスを用いたシンチレータでは、６Ｌｉによる下記の中性子捕獲反応
ｎ＋６Ｌｉ→Ｔ＋α（＋４．８ＭｅＶ）
を利用して中性子を検出する。この反応式に示すように、６Ｌｉは、中性子ｎを捕獲した後、発熱的に核分裂生成粒子Ｔ、αを放出することでシンチレータを励起する。このような発熱反応を利用することにより、低エネルギーの散乱中性子であっても、シンチレータにおいて充分な発光量を得ることができる。
【００２８】
また、図２のグラフＡ５は、上記した６Ｌｉによる中性子捕獲反応の反応断面積のエネルギー依存性を示している。このグラフＡ５に示すように、６Ｌｉでの反応断面積の共鳴ピークは、後方散乱中性子のエネルギーとほぼ一致している。したがって、このような反応を利用して中性子を検出することにより、爆縮プラズマからの中性子のうちで、燃料面密度ρＲに対応する散乱中性子を選択的かつ高効率で検出することが可能となる。
【００２９】
本発明による中性子検出用シンチレータは、このような知見に基づき、そのシンチレータ材料として、リチウムガラス材料を用いている。さらに、そのようなリチウムガラス材料において、その具体的な組成について検討した結果、従来に比べて高速応答性を有するシンチレータの開発に成功し、本発明に到達したものである。
【００３０】
図３は、本発明による中性子検出用シンチレータを用いた中性子測定装置の一実施形態の構成を概略的に示す図である。ここでは、上述したようにレーザ核融合の爆縮プラズマＳから放出される散乱中性子ｎＳを測定対象とした場合を例として、中性子測定装置の構成について説明する。また、図３の構成において、爆縮プラズマＳは、例えば直径が３０μｍ程度である。また、爆縮プラズマＳから測定装置１Ａの中性子検出部１０までの距離は、具体的な測定条件に応じて設定されるが、例えば３０ｃｍ程度である。
【００３１】
本実施形態による中性子測定装置１Ａは、中性子検出部１０と、導光光学系１５と、光検出部２０と、遮蔽部材３０とによって構成されている。図３に示す測定装置１Ａにおいて、中性子検出部１０は、中性子検出用シンチレータとして、Ｐｒ添加リチウム含有ガラスによるシンチレータを用いて構成されている。
【００３２】
具体的には、本実施形態では、ガラス材料２０Ａｌ（ＰＯ３）３−８０ＬｉＦに対してＰｒＦ３が添加され、ＰｒＦ３の添加量をモル％でｎ％（ｎ＞０）として、下記式
２０Ａｌ（ＰＯ３）３−８０ＬｉＦ−ｎＰｒＦ３
で表されるリチウムガラス材料からなるシンチレータを、中性子検出に用いている。このシンチレータから発せられるシンチレーション光の発光波長域は、例えば波長２７０ｎｍ付近を中心とする紫外の波長域である。
【００３３】
上記組成による中性子検出用シンチレータは、上述したリチウムガラスシンチレータの中性子検出における利点に加え、高速応答性という利点、すなわち、シンチレーション光の減衰時間（蛍光寿命）が、従来の中性子検出用リチウムガラスシンチレータに比べて非常に短いという利点を有している。
【００３４】
ここで、図４のグラフ（ａ）は、爆縮プラズマＳから３０ｃｍの距離において、Ｘ線、１次中性子ｎ０、及び散乱中性子ｎＳをシンチレータによって検出して得られる時間波形（検出信号強度の時間変化）を模式的に示している。また、図４のグラフ（ａ）において、グラフＢ１は、高速応答性の中性子検出用シンチレータ２０Ａｌ（ＰＯ３）３−８０ＬｉＦ−ｎＰｒＦ３を用いた場合の検出信号波形を示し、グラフＢ２は、従来のリチウムガラスシンチレータを用いた場合の検出信号波形を示している。
【００３５】
爆縮プラズマＳから放出されるＸ線や中性子などの放射線を、爆縮プラズマＳから所定距離をおいて配置されたシンチレータ（図３参照）によって検出する場合、最初にＸ線がシンチレータに到達して検出され、次に１次中性子ｎ０が検出され、それらから遅れて低エネルギーの散乱中性子ｎＳが検出される。このような検出条件において、従来のシンチレータによる時間波形のグラフＢ２をみると、先に検出されたＸ線及び１次中性子ｎ０によるシンチレーション光が充分に減衰する前に散乱中性子ｎＳがシンチレータに入射し、したがって、散乱中性子ｎＳを分離して測定することができない。
【００３６】
これに対して、高速応答性を有する本発明のシンチレータによる時間波形のグラフＢ１では、Ｘ線及び１次中性子ｎ０によるシンチレーション光が充分に減衰した後に散乱中性子ｎＳが検出されている。これにより、爆縮プラズマＳからのＸ線、１次中性子に対し、それらよりも遅れて到達する散乱中性子を、爆縮プラズマＳから中性子検出部１０までの飛行時間差によって分離して測定することが可能となる。なお、上記組成のシンチレータの高速応答性については、具体的なデータとともにさらに後述する。
【００３７】
図３に示す中性子検出部１０は、上記のガラス材料２０Ａｌ（ＰＯ３）３−８０ＬｉＦ−ｎＰｒＦ３によるシンチレータを中性子検出に用いるとともに、複数のシンチレータセル１１が２次元に配列されたシンチレータアレイとして構成されている。ここで、図３に示すようにｘ軸、ｙ軸、ｚ軸を設定すると、シンチレータアレイ１０は、ｚ軸方向を長手方向とする形状のシンチレータセル１１を用い、このシンチレータセル１１をｘ軸方向及びｙ軸方向に２次元マトリクス状に配列して構成されている。また、このとき、シンチレータアレイ１０から出力されるシンチレーション光は、セル１１の２次元配列構造、及びその配列構造での中性子の検出パターンに対応する２次元光像となる。
【００３８】
このようなシンチレータアレイ１０の具体例としては、１チャンネル（１ｃｈ）当たりのシンチレータセル１１のサイズを１ｍｍ×１ｍｍ×４０ｍｍとし、そのセル１１をｘ軸方向に４０ｃｈ、ｙ軸方向に４０ｃｈで計４０×４０＝１６００ｃｈ配列した構成を用いることができる。この場合、中性子検出部のシンチレータアレイ１０の外形のサイズは、４０ｍｍ×４０ｍｍ×４０ｍｍである。また、シンチレータセル１１としては、例えばシンチレータを細長く切り出して研磨し、拡散反射面素材でコーティングしたものを用いることができる。
【００３９】
シンチレータアレイ１０から発せられるシンチレーション光による２次元光像は、集光レンズ１６及び反射ミラー１７を有する導光光学系１５を介して、光検出部２０へと導光される。図３に示す光検出部２０は、イメージインテンシファイア（Ｉ．Ｉ．）２１と、２次元光検出器２２とによって構成されている。２次元光検出器２２は、シンチレータアレイ１０からの２次元光像を検出可能に構成された光検出器であり、例えば、複数の検出画素が２次元に配列されたＣＣＤなどの撮像装置を用いることができる。あるいは、光電子増倍管（ＰＭＴ）等を光検出器として用いても良い。
【００４０】
イメージインテンシファイア２１は、２次元光検出器２２の前段（中性子検出部側）に配置され、シンチレータアレイ１０から光検出器２２へと入射する２次元光像を増強する光像増強手段である。また、このイメージインテンシファイア２１は、２次元光像の検出期間を制限するゲート機能を有することが好ましい。この場合、図４のグラフ（ｂ）に、ゲート動作に用いられるゲート信号の一例を模式的に示すように、中性子検出を行うゲート期間を適切に設定することにより、散乱中性子ｎＳに起因するシンチレーション光成分のみを選択的に測定することができる。
【００４１】
また、本実施形態の測定装置１Ａでは、シンチレータアレイ１０と光検出部２０との間の所定位置、図３の構成では光検出部２０のシンチレータアレイ１０側の側方に、遮蔽部材３０が設けられている。この遮蔽部材３０は、光検出部２０へと向かうＸ線、中性子等の余分な放射線を遮蔽する遮蔽手段である。遮蔽部材３０は、例えば鉛シールドによって構成される。
【００４２】
上記実施形態による中性子検出用シンチレータ、及び中性子測定装置の効果について説明する。
【００４３】
図３に示した測定装置１Ａの中性子検出部１０では、中性子の検出に用いられるシンチレータとして、Ｐｒ添加リチウム含有ガラスを用いている。６Ｌｉによる中性子捕獲反応を利用するリチウムガラスシンチレータでは、１次中性子ｎ０よりも低エネルギーの散乱中性子ｎＳに対し、６Ｌｉでの反応断面積の共鳴ピークが後方散乱中性子のエネルギーとほぼ一致する。したがって、爆縮プラズマＳからの中性子のうちで、燃料面密度ρＲに対応する散乱中性子ｎＳを選択的に高効率で検出することができる。
【００４４】
さらに、上記実施形態では、シンチレータを構成するガラス材料について、下記式
２０Ａｌ（ＰＯ３）３−８０ＬｉＦ−ｎＰｒＦ３
で表されるリチウムガラス材料を用いている。この新たに開発したシンチレータは、従来のシンチレータに比べて高速応答性を有している。したがって、このようなシンチレータを中性子検出に用いることにより、図４に示すように、散乱中性子ｎＳを１次中性子ｎ０やＸ線から分離して測定することが可能となる。
【００４５】
上記のシンチレータにおいて、そのガラス組成でのＰｒＦ３の添加量については、ガラス材料２０Ａｌ（ＰＯ３）３−８０ＬｉＦに対するＰｒＦ３の添加量が、モル％で１％以上３％以下（１％≦ｎ％≦３％）であることが、シンチレータの特性、及び製造条件等の点から好ましい。これにより、高速応答性を有する中性子検出用シンチレータを好適に実現することができる。なお、ＰｒＦ３の添加量を大きくすると、ガラス材料の溶解温度が高くなってガラス製造が難しくなる傾向がある。
【００４６】
また、図３に示した中性子測定装置１Ａでは、上記したシンチレータによる中性子検出部１０と、光検出部２０と、導光光学系１５とによって測定装置が構成されている。このような構成では、爆縮プラズマＳからの中性子の測定に用いる場合に、散乱中性子ｎＳを１次中性子ｎ０やＸ線から分離して高効率で検出することができる。これにより、爆縮プラズマＳからの散乱中性子ｎＳの測定などの中性子測定を好適に行うことが可能な中性子測定装置１Ａが実現される。
【００４７】
また、本測定装置１Ａでは、中性子検出部１０と、光検出部２０との間に、導光光学系１５に加えて、遮蔽部材３０を設けている。これにより、爆縮プラズマＳからのＸ線、中性子等の余分な放射線が光検出部２０に入射して検出されることによるノイズ成分の発生を抑制して、中性子測定を精度良く行うことができる。
【００４８】
また、図３に示した測定装置１Ａでは、複数のシンチレータセル１１が２次元に配列されたシンチレータアレイによって中性子検出部１０を構成するとともに、このようなシンチレータアレイ１０に対応して、シンチレーション光による２次元光像を検出可能に構成された２次元光検出器２２を用いて光検出部２０を構成している。このような構成では、１チャンネル当たりのセル１１での１次中性子の検出数を低減し、１次中性子と散乱中性子との空間的分離効果により、散乱中性子の検出を容易化することができる。
【００４９】
図５は、中性子検出部１０におけるシンチレータセルの複数チャンネル化について示す模式図である。図５において、図５（ａ）、（ｂ）は、単一チャンネルのシンチレータセルによる中性子の検出状態、及びその場合に得られる検出信号の時間波形を示している。また、図５（ｃ）、（ｄ）は、複数チャンネルのシンチレータセルによる中性子の検出状態、及びその場合に得られる検出信号の時間波形を示している。
【００５０】
図５（ａ）、（ｂ）に示すように、単一チャンネルの中性子検出部では、検出チャンネルで検出される１次中性子ｎ０の検出数が非常に多く、検出数が少ない散乱中性子ｎＳの測定がＳＮ比などの点で難しい。これに対して、複数チャンネルを有する中性子検出部では、１チャンネル当たりの１次中性子の検出数を低減できる。図５（ｃ）、（ｄ）に示す例では、１チャンネル当たりの１次中性子ｎ０の検出数が１個程度となっている。これに対し、散乱中性子ｎＳの検出数は、１チャンネル当たりで１個または０個であり、また、１次中性子ｎ０との分離測定も容易となっていることがわかる。
【００５１】
また、図３に示した測定装置１Ａでは、光検出部２０において、２次元光検出器２２の前段にイメージインテンシファイア２１を設けている。このような構成では、中性子検出部１０における中性子の検出パターンに対応するシンチレーション光の２次元光像を増強して、２次元光検出器２２による光像の検出精度を向上することができる。ただし、このようなイメージインテンシファイア２１については、シンチレーション光の強度が充分な場合など、不要であれば設けない構成としても良い。
【００５２】
また、このように光検出部２０にイメージインテンシファイア２１を用いる場合、イメージインテンシファイア２１は、２次元光像の検出期間を制限するゲート機能を有することが特に好ましい。このようなゲート機能を利用することにより、１次中性子ｎ０やＸ線に対する散乱中性子ｎＳの選択的な検出を好適に実行することができる。
【００５３】
例えば、イメージインテンシファイア２１の一例として、シンチレーション光による２次元光像を電子像に変換する光電面と、電子像を増強するＭＣＰと、増強された電子像を再び光像に変換して光検出器２２へと出力する蛍光面とによって構成されたイメージインテンシファイアを考える。この場合、光電面とＭＣＰとの間の印加電圧をゲート信号として用いることにより、光像の増強を行うゲートＯＮの状態と、ゲートＯＦＦの状態とが制御される。ゲートＯＦＦでは、例えば、光電面で発生した光電子がＭＣＰに到達しないように印加電圧を設定することで、光像が増強、出力されない状態となる。
【００５４】
上記した中性子測定装置１Ａにおいて用いられる中性子検出用シンチレータについて、具体的なデータとともにさらに説明する。なお、以下においては、必要に応じて、ガラス材料２０Ａｌ（ＰＯ３）３−８０ＬｉＦを、ＡＰＬＦ８０と略記する。また、ＰｒＦ３がｎモル％で添加されたガラス材料を、同様にＡＰＬＦ８０＋ｎＰｒと略記する。
【００５５】
ガラス材料ＡＰＬＦ８０＋ｎＰｒからなるシンチレータは、例えば、以下に示す製造例の方法によって製造することができる。まず、上記した組成比に対応する調合比により、バッチ量８０ｇで各原料を用意する。そして、それらの原料を、ガラス状カーボンのルツボ中において、溶融温度１１００℃、溶融時間１時間、窒素雰囲気の条件下で溶融する。その後、溶融されたガラス材料を炉中で４００℃付近まで冷却して取り出し、さらにガラス転移温度近傍でアニールを行って、シンチレータを作成する。
【００５６】
図６は、ガラス材料における光の透過率の波長依存性を示すグラフであり、横軸は波長（ｎｍ）を、また、縦軸は光の透過率（％）を示している。また、図６において、グラフＣ５は、溶融温度８００℃で作成したＰｒＦ３が添加されていないガラス材料ＡＰ７ＬＦ８０での光の透過率を示している。このグラフＣ５に示すように、ＰｒＦ３が添加されていないガラス材料ＡＰＬＦ８０は、紫外域まで透過率が高いガラス素材である。また、このガラス材料は、ＬｉＦ（フッ化リチウム）が大部分であるが、Ａｌ（ＰＯ３）３（メタリン酸アルミニウム）が入っていることで耐水性も良く、安定な材料となっている。ここで、７Ｌは天然リチウム、６Ｌは同位体濃縮リチウム原料を示す。
【００５７】
また、図６において、グラフＣ１は、溶融温度８００℃で作成した密度２．６３ｇ／ｃｍ３のＡＰ６ＬＦ８０＋１Ｐｒでの光の透過率を示し、グラフＣ２は、溶融温度９００℃で作成した密度２．６９ｇ／ｃｍ３のＡＰ６ＬＦ８０＋１Ｐｒでの光の透過率を示し、グラフＣ３は、溶融温度９００℃で作成したＡＰ７ＬＦ８０＋１Ｐｒでの光の透過率を示している。これらのグラフＣ１〜Ｃ３に示すように、ガラス材料ＡＰＬＦ８０に対してＰｒＦ３を添加することにより、光の透過率が変化していることがわかる。
【００５８】
このようなリチウムガラスシンチレータでは、６Ｌｉによる中性子捕獲反応を利用して中性子を検出するため、その中性子の検出感度は基本的にリチウム密度によって決まる。例えば、組成式ＡＰＬＦ８０＋３Ｐｒで作成したシンチレータでは、そのリチウム密度は１．７×１０２２／ｃｍ３であった。この密度は、例えば、従来のリチウムガラスシンチレータであるＫＧ２、ＧＳ２０（サンゴバン社製）に匹敵するものである。
【００５９】
図７は、Ｘ線検出（Ｘ線励起）によって得られる検出信号の時間波形を示すグラフであり、横軸は時間（ｎｓ）、縦軸は信号強度（Ｖ）を示している。ここでは、具体的には、核融合ショット時に放出されるＸ線を用いて、検出信号波形の測定を行っている。また、図７において、グラフＤ１は、シンチレータとしてＡＰＬＦ８０＋３Ｐｒを用いた場合の検出信号波形を示し、グラフＤ２は、従来のシンチレータであるＫＧ２を用いた場合の検出信号波形を示している。
【００６０】
具体的には、シンチレータＡＰＬＦ８０＋３Ｐｒ、ＫＧ２をテフロン（登録商標）テープでくるんで光電子増倍管（ＰＭＴ）の受光面に貼り付け、その全体を遮光して、ターゲットチャンバから１ｍの位置に設置して測定を行った。バックグラウンドノイズについては、充分に小さいことをデータで確認している。また、光電子増倍管のレスポンスは約５ｎｓである。
【００６１】
図７のグラフに示すように、シンチレータとして従来のＫＧ２を用いた場合のグラフＤ２では、信号の減衰時間（ディケイタイム）は８１ｎｓである。これに対して、新たに開発したＡＰＬＦ８０＋３Ｐｒを用いた場合のグラフＤ１では、信号の減衰時間は１９ｎｓとなっており、従来のシンチレータに比べて応答速度が向上していることがわかる。
【００６２】
なお、この測定データでは、ＡＰＬＦ８０＋３Ｐｒ：ＫＧ２の積分信号強度比はおよそ１：３である。また、測定に用いたシンチレータでは、ＡＰＬＦ８０＋３ＰｒとＫＧ２とでは体積が１０倍異なり、ＫＧ２の方が検出効率が１０倍小さくなっている。このため、信号強度に対して１０倍の補正をすると、信号強度比はおよそ１：３０となる。
【００６３】
図８は、ＵＶ光検出、及びα線検出によって得られる検出信号の時間波形を示すグラフである。図８のグラフ（ａ）は、ＵＶ光検出（光励起）による検出信号波形を示し、横軸は時間（ｎｓ）、縦軸は強度（ａ．ｕ．）を示している。また、図８のグラフ（ｂ）は、２４１Ａｍからのα線による検出信号波形を示し、横軸は時間（ｎｓ）、縦軸はＰＭＴ出力（Ｖ）を示している。また、このグラフ（ｂ）では、測定された発光強度をそのまま示している。
【００６４】
図８（ａ）において、グラフＥ１は、シンチレータとしてＡＰＬＦ８０＋１Ｐｒを用いた場合のＵＶ光の検出信号波形を示し、グラフＥ２は、従来のシンチレータであるＫＧ２を用いた場合の検出信号波形を示している。これらのグラフにおいて、ＫＧ２を用いたグラフＥ２では、信号の減衰時間は３８．８ｎｓである。これに対して、ＡＰＬＦ８０＋１Ｐｒを用いたグラフＥ１では、信号の減衰時間は１９．３ｎｓとなっており、図７に示したＸ線検出の場合と同様に、応答速度が向上していることがわかる。
【００６５】
また、図８（ｂ）において、グラフＥ３は、シンチレータとしてＡＰＬＦ８０＋３Ｐｒを用いた場合のα線の検出信号波形を示し、グラフＥ４は、従来のシンチレータであるＧＳ２（サンゴバン社製）を用いた場合の検出信号波形を示している。これらのグラフＥ３、Ｅ４では、上述したように発光強度をそのまま示しており、グラフＥ３において発光強度が小さくなっていることがわかる。また、新素材ＡＰＬＦ８０＋３Ｐｒによるシンチレータでは、その発光量は、５．５ＭｅＶのα線において３００フォトン／α程度となっている。
【００６６】
図９は、中性子検出によって得られる検出信号の時間波形を示すグラフであり、横軸は時間（ｎｓ）、縦軸は強度（ａ．ｕ．）を示している。この測定データでは、シンチレータとしてＡＰＬＦ８０＋３Ｐｒを用いている。また、中性子としては、２５２Ｃｆ標準中性子源から放出される中性子を用いている。このグラフでは、信号の減衰時間は５．６ｎｓとなっており、中性子検出における高速応答性が示されている。
【００６７】
次に、図３に示した中性子測定装置１Ａの具体的な構成について、その構成例とともにさらに説明する。
【００６８】
図１０は、中性子測定装置の具体的な構成の一例を示す図である。図１０に示す構成例では、中性子検出部１０と、イメージインテンシファイア２１及び２次元光検出器２２からなる光検出部との間の導光光学系として、中性子検出部１０側から順にレンズ系４１、レンズ系４２、反射ミラー４３、及びレンズ系４４が設けられている。本構成では、レンズ系４１、４２、４４によってシンチレーション光を結像するとともに、反射ミラー４３によってその光路を光検出部へと変更している。また、光検出部の中性子検出部１０側の側方には、放射線遮蔽用の遮蔽部材３１が設けられている。
【００６９】
図１１は、中性子測定装置の具体的な構成の他の例を示す図である。図１１に示す構成例では、中性子検出部１０と、イメージインテンシファイア２１及び２次元光検出器２２からなる光検出部との間の導光光学系として、中性子検出部１０側から順に曲面反射ミラー４６、４７、４８、４９が設けられている。本構成では、曲面反射ミラー４６、４７、４８、４９によってシンチレーション光を結像するとともに、光路を折り返すことで、光学系のコンパクト化を図っている。また、曲面反射ミラー４６、４９の間には、放射線遮蔽用の遮蔽部材３６が設けられている。
【００７０】
これらの図１０、図１１の構成例に示すように、中性子測定装置の構成については、具体的には様々な構成を用いることが可能である。
【００７１】
本発明による中性子検出用シンチレータ、及び中性子測定装置は、上記した実施形態及び構成例に限られるものではなく、様々な変形が可能である。例えば、中性子検出部については、上記では複数のシンチレータセルを有するシンチレータアレイとする構成を例示したが、単一のシンチレータセルを中性子検出部としても良い。また、光検出部についても、同様に、例えば単一の０次元光検出器を用いる構成など、様々な構成を用いて良い。また、中性子検出用シンチレータ及び測定装置の応用、用途については、上記では爆縮プラズマからの中性子測定を例示したが、本発明によるシンチレータの高速応答性などの検出特性は、爆縮プラズマからの中性子測定に限らず、様々な分野での中性子測定において一般に有効である。
【産業上の利用可能性】
【００７２】
本発明は、爆縮プラズマからの散乱中性子の測定などの中性子測定を好適に行うことが可能な中性子検出用シンチレータ、及び中性子測定装置として利用可能である。
【符号の説明】
【００７３】
１Ａ…中性子測定装置、１０…シンチレータアレイ（中性子検出部）、１１…シンチレータセル、１５…導光光学系、１６…集光レンズ、１７…反射ミラー、２０…光検出部、２１…イメージインテンシファイア、２２…２次元光検出器、３０、３１、３６…遮蔽部材、４１、４２、４４…レンズ系、４３、４６、４７、４８、４９…反射ミラー。
【図１】
2010261753.tif 000003
【図３】
2010261753.tif 000004
【図４】
2010261753.tif 000005
【図５】
2010261753.tif 000006
【図７】
2010261753.tif 000007
【図９】
2010261753.tif 000008
【図１０】
2010261753.tif 000009
【図１１】
2010261753.tif 000010
【図２】
2010261753.tif 000011
【図６】
2010261753.tif 000012
【図８】
2010261753.tif 000013